(57)【要約】【課題】動画によるバナー広告を、Webページへアクセスする客層に応じて、複数表示することを可能とするとともに、そのバナー広告に対するアクセス者の注目頻度に応じた適切な課金を可能とする。【解決手段】  インターネット2上に配置されたインデキシングサーバ352により、キーワードとWebページに含まれる文字データとの一致度に応じて、Webページの属性を解析し、Webページの属性に応じたバナーデータを、当該コンテンツデータに挿入するためのリンク用データをバナーデータ蓄積部33aに蓄積し、リンクデータに基づいて、Webページの属性に応じたバナーデータを、当該コンテンツに挿入して表示し、マウスポインタ101bがバナーデータ上に位置している間、バナーデータに含まれる動画の再生出力を変化させ、その再生出力の変化を検出することにより、バナーデータの注目頻度を計測し、注目頻度に応じた課金処理を行う。【選択図】  図1
2007164710.tif 000002
【特許請求の範囲】
【請求項１】
インターネットを通じて配信されるコンテンツデータに、広告等のバナーデータを挿入するバナー配信システムであって、
属性によって区分されたキーワードと、該コンテンツデータに含まれる文字データとの一致度に応じて、該コンテンツデータの属性を解析する属性解析部と、
前記属性解析部により解析された前記コンテンツデータの属性に応じた前記バナーデータを当該コンテンツデータに挿入するためのリンク用データと、当該コンテンツデータとを関連づけて蓄積するバナー管理部と、
前記インターネットを通じて、前記コンテンツデータを取得するとともに、該コンテンツデータに関連づけられたリンクデータを前記バナー管理部から取得し、該リンクデータに基づいて、該コンテンツデータの属性に応じたバナーデータを、当該コンテンツに挿入して表示する表示部と、
ユーザーによって入力される操作信号に従って前記表示部上を移動するポインタを、表示するポインタ制御部と、
前記インターネットを通じて、前記バナーデータの注目頻度を計測し、該注目頻度に応じた課金処理を行う課金部と
を備え、
前記バナーデータは、前記ポインタが該バナーデータ上に位置している間、該バナーデータに含まれる動画情報の出力形態を変化させ、
前記課金部は、前記動画の出力形態の変化を検出して前記注目頻度を計測する
ことを特徴とするバナー配信システム。
【請求項２】
前記動画情報の出力形態の変化として、前記バナーデータの表示面積を拡大及び縮小するとともに、音量を変化させることを特徴とする請求項1に記載のバナー配信システム。
【請求項３】
インターネットを通じて配信されるコンテンツデータに、広告等のバナーデータを挿入するバナー配信方法であって、
前記インターネット上に配置された属性解析部により、属性によって区分されたキーワードと、該コンテンツデータに含まれる文字データとの一致度に応じて、該コンテンツデータの属性を解析するステップ(1)と、
前記属性解析部により解析された前記コンテンツデータの属性に応じた前記バナーデータを、当該コンテンツデータに挿入するためのリンク用データを、当該コンテンツデータと関連づけてバナー管理部に蓄積するステップ(2)と、
前記インターネットを通じて前記コンテンツデータを取得するとともに、該コンテンツデータに関連づけられたリンクデータを前記バナー管理部から取得し、該リンクデータに基づいて、該コンテンツデータの属性に応じたバナーデータを、当該コンテンツに挿入して表示部に表示するステップ(3)と、
ユーザーによって入力される操作信号に従って前記表示部上を移動するポインタを表示するとともに、該ポインタが該バナーデータ上に位置している間、該バナーデータに含まれる動画情報の出力形態を変化させるステップ(4)と、
前記インターネットを通じて前記動画の出力形態の変化を検出することにより、前記バナーデータの注目頻度を計測し、課金部により、該注目頻度に応じた課金処理を行うステップ(5)と
を有することを特徴とするバナー配信方法。
【請求項４】
前記動画情報の出力形態の変化として、前記バナーデータの表示面積を拡大及び縮小するとともに、音量を変化させることを特徴とする請求項3に記載のバナー配信方法。
【発明の詳細な説明】
【技術分野】
【０００１】
本発明は、インターネットを通じて配信されるコンテンツデータに、広告等のバナーデータを挿入するバナー配信システム及びバナー配信方法に関する。
【背景技術】
【０００２】
従来より、インターネット上のWebサイトへのアクセスを増大する手法として、ページ間を遷移するためのリンク機能を文字や画像等で表示するバナー広告が広く普及している。このバナー広告では、文字や画像などによりリンク先（例えば商用サイト等）の広告をバナー表示することによって、バナーそのものを広告媒体として機能させることができるとともに、アクセス者がそのバナーをクリックすることで、そのアクセス者をリンク先の商用サイト等に誘導することができる。
【０００３】
このようなバナー広告では、その宣伝効果に対して広告料金の課金が行われるのが通常であるが、その広告料金の設定に関しては、商品販売成果の有無にかかわらず単純に掲載期間に応じて広告費用を課すものと、バナーの表示回数に応じて広告費用を課すものと、バナーのクリック回数に応じて広告費用を課すものと、バナーのクリックした後のサイト上での販売成果に応じて広告費用を課すもの、又は、これらを組み合わせたものなどが知られている。
【０００４】
ところで、上記バナー広告では、Webページへアクセスする客層に応じて、そのWebページに掲載するバナー広告の種類を変更することによって、より宣伝・広告効果を高めることができる。従来より、例えば特許文献1に開示されているような、広告掲載サイトの内容について自動的に語彙解析し、キーワードを抽出するともに前記抽出したキーワードにマッチする広告（ テキスト・画像・動画・音声・バーコード・その他一切のクリエイティブ） を表示する手法が考案されている。このような手法によれば、各Webページにおいて、適切な広告を掲載することができ、広告収入を向上することができ、広告主側には内容にマッチしたWebサイトにのみ広告を掲載することで広告費用負担を削減することができる。
【特許文献１】特開2005-242711号公報
【発明の開示】
【発明が解決しようとする課題】
【０００５】
近年においては、Webページにおける表現力が向上してきており、バナー広告として動画を表示することも可能となってきている。ところが、動画が音声を伴う場合、複数のバナーを表示すると、複数の音声が同時に再生されることとなり、その内容を正確に伝えることができず、実用性に欠けるという問題がある。
【０００６】
また、バナー広告では、上述したようにバナー自体が広告媒体となり得るため、クリックされなくても、宣伝効果を発揮している場合もある。ところが、従来のシステムでは、クリックされない限り、バナー広告の広告主側では、その宣伝効果を客観的に計測することができず、適切な広告料の設定が困難であった。
【０００７】
そこで、本発明は以上の点に鑑みてなされたもので、動画によるバナー広告を、Webページへアクセスする客層に応じて複数表示することを可能とするとともに、そのバナー広告に対するアクセス者の注目頻度に応じた適切な課金を可能とするバナー配信システム及びバナー配信方法を提供することをその課題とする。
【課題を解決するための手段】
【０００８】
上記課題を解決するために、本発明は、インターネットを通じて配信されるコンテンツデータに、広告等のバナーデータを挿入するバナー配信システム及び方法であって、属性によって区分されたキーワードと、コンテンツデータに含まれる文字データとの一致度に応じて、コンテンツデータの属性を解析する属性解析部と、属性解析部により解析されたコンテンツデータの属性に応じたバナーデータを、当該コンテンツデータに挿入するためのリンク用データを、当該コンテンツデータと関連づけて蓄積するバナー管理部と、インターネットを通じてコンテンツデータを取得するとともに、コンテンツデータに関連づけられたリンクデータをバナー管理部から取得し、リンクデータに基づいて、コンテンツデータの属性に応じたバナーデータを、当該コンテンツに挿入して表示する表示部と、ユーザーによって入力される操作信号に従って表示部上を移動するポインタを表示するポインタ制御部と、インターネットを通じて、バナーデータの注目頻度を計測し、注目頻度に応じた課金処理を行う課金部とを備える。
【０００９】
そして、本発明では、
(1)インターネット上に配置された属性解析部により、属性によって区分されたキーワードと、コンテンツデータに含まれる文字データとの一致度に応じて、コンテンツデータの属性を解析し、
(2)属性解析部により解析されたコンテンツデータの属性に応じたバナーデータを、当該コンテンツデータに挿入するためのリンク用データを、当該コンテンツデータと関連づけてバナー管理部に蓄積し、
(3)インターネットを通じてコンテンツデータを取得するとともに、コンテンツデータに関連づけられたリンクデータをバナー管理部から取得し、リンクデータに基づいて、コンテンツデータの属性に応じたバナーデータを、当該コンテンツに挿入して表示部に表示し、
(4)ユーザーによって入力される操作信号に従って表示部上を移動するポインタを表示するとともに、ポインタがバナーデータ上に位置している間、バナーデータに含まれる動画情報の出力形態を変化させ、
(5)インターネットを通じて動画の出力形態の変化を検出することにより、バナーデータの注目頻度を計測し、課金部により、注目頻度に応じた課金処理を行う。
【００１０】
このような本発明によれば、配信されるコンテンツデータの属性に応じたバナーデータを当該コンテンツデータ内に挿入することができるため、アクセス者の客層に応じたバナー広告を行ったりすることができる。また、ユーザー操作によるポインタの移動を監視し、バナーデータの出力形態を検出することによって、サービス提供者側においてユーザーがいずれのバナーを注目したかを把握することができ、適正な課金を行うことができる。
【００１１】
上記発明において、動画情報の出力形態の変化として、バナーデータの表示面積を拡大及び縮小するとともに、音量を変化させることが好ましい。この場合には、複数のバナーデータが表示されていても、注目したバナーのみについて、拡大され、音声が出力されるため、不必要にサイズの大きいバナーデータが並列されることによって表示画面構成が煩雑になったり、複数の音声が同時に出力されて騒然となったりするのを防止することができる。
【００１２】
また、上記発明において、属性解析部は、コンテンツデータに付与され、コンテンツデータの属性を示すメタデータをキーワードとして、解析を行うことが好ましい。この場合には、既存の検索エンジンシステムを利用して、本発明を実現することが可能となり、既存のシステムを有効利用することができる。
【発明の効果】
【００１３】
以上説明したように本発明によれば、音声を伴う動画等によるバナー広告をWebページの属性や、当該Webページへアクセスする客層に応じて、表示画面が煩雑にすることなく、複数表示することを可能とするとともに、そのバナー広告に対するアクセス者の注目頻度に応じた適切な課金を行うことができる。
【発明を実施するための最良の形態】
【００１４】
（バナー配信システムの構成）
本発明の実施形態について、図面を参照しつつ説明する。図1は、本実施形態に係るバナー配信システムの概略構成を示すブロック図である。
【００１５】
本実施形態では、サーバ群31〜35からインターネット2を通じて配信されるWebページや動画等のマルチメディアコンテンツを、ユーザー端末装置1において視聴する場合を例に説明する。なお、説明中で用いられる「モジュール」とは、装置や機器等のハードウェア、或いはその機能を持ったソフトウェア、又はこれらの組み合わせなどによって構成され、所定の動作を達成するための機能単位を示す。
【００１６】
インターネット2は、例えば、通信プロトコルTCP/IPを用いて種々の通信回線（電話回線やISDN回線、ADSL回線などの公衆回線、専用回線、無線通信網）を相互に接続して構築される分散型のIP網であり、このIP網には、10BASE-Tや100BASE-TX等によるイントラネット（企業内ネットワーク）や家庭内ネットワークなどのLANなども含まれる。
【００１７】
上記各サーバ群31〜35は、具体的には、Webサーバ31と、バナー管理サーバ32と、バナー配信サーバ33と、課金集計サーバ34と、検索システムサーバ群35（サーバ351〜355）とから構成されている。
【００１８】
Webサーバ31は、インターネット2上に分散配置された一般的な通信サーバであり、WWW（World Wide Web）等のドキュメントシステムにおいて、HTML（HyperText Markup Language）ファイルや画像ファイル、音楽ファイルなどの情報送信を行うサーバコンピュータ或いはその機能を持ったソフトウェアであり、HTML文書や画像などの情報を蓄積しておき、ユーザー端末装置1上で実行されるWebブラウザなどのアプリケーションの要求に応じて、コンテンツ（Webページ）の配信を行う。なお、本実施形態において、各Webサーバ31により配信されるコンテンツには、動画広告等のバナーデータが挿入可能になっている。
【００１９】
バナー管理サーバ32は、Webサーバ31から配信されるコンテンツに、バナーデータを挿入するためのリンク用データを蓄積し、管理するサーバであり、リンク用データ蓄積部32aに各Webページ毎のリンク用データD4を蓄積しておき、ユーザー端末装置1からのリンク用データ要求D3に応じて、リンク用データD4を配信する。ここで、リンク用データD4は、Webページの属性に応じたバナーデータを、当該コンテンツデータの所定領域に挿入するための情報であり、例えばHTML等のタグなどで表現される。このリンク用データD4は、ユーザー端末装置1のブラウザから呼び出されて実行されるCGIやJAVA（登録商標）によって生成されて返信され、ブラウザに表示されたWebページのいずれのエリアにいずれのバナーデータを挿入するかを記述したリンク情報（バナーデータのURL等）が含まれる。
【００２０】
具体的に、Webページのバナーデータが埋め込まれる領域には、その埋込領域を特定するエリアIDが付与されており、このリンク用データ要求D3にそのエリアIDを記述してバナー管理サーバ32に送信する。バナー管理サーバ32は、このエリアIDに基づいてリンク用データ蓄積部32aを照合して、当該エリアIDに関連づけられたリンク用データを検索する。検索されたリンク用データには、エリアIDで特定される領域に挿入すべきバナーデータが保持されているバナー配信サーバ33のアドレス（ドメインやフォルダ名、ファイル名等を含むURL）が記述されており、それをユーザー端末装置1側で読み出すことによって、Webページ内の所定の領域に、バナーデータが挿入される。
【００２１】
バナー配信サーバ33は、基本的にはWebサーバ31と同様に、ユーザー端末装置1からの要求（ここでは、バナー要求）に応じて、ユーザー端末装置1に対して広告としてのバナーデータを配信するサーバである。このバナーデータは、例えば、動画等のビデオクリップの他、音響データや文字データ等であり、ファイルデータとしてバナーデータ蓄積部33aに蓄積されている。バナーデータ蓄積部33aには、各バナーデータに関する入稿情報（バナーデータの識別子、広告主の識別子、有効期間等）及び広告価格情報（広告データの識別子、時間帯に応じた価格等）も蓄積されており、これらの情報は、課金集計サーバ34に提供される。課金集計サーバ34では、これらのバナー配信サーバ33から提供される情報と、出力形態通知D7により提供される情報とから、バナーデータの注目頻度等に応じて、広告主に対する広告料の課金や、ユーザーに対する視聴料の低減を行うようにしてもよい。
【００２２】
一方、上記検索システムサーバ群35は、具体的には、検索エンジンサーバ353と、インデキシングサーバ352と、クローラーサーバ351とを備えており、データベースとしては、インデキシングデータベース355と、クローリングデータサーバ354とを有している。
【００２３】
検索エンジンサーバ353は、一般的なインターネット検索サービスに加えて、インターネット2を通じて、バナー管理サーバ32から検索要求（バナーが挿入されるWebページのURLを含む）を受信し、インデキシングデータベース355を参照し、その検索要求に含まれるURLからインデキシングデータ内の該当するWebページの属性を取得する。
【００２４】
また、本実施形態に係る検索エンジンサーバ353は、インデキシングデータから取得されたWebページの属性に対応するバナーデータを、バナーデータ蓄積部33aから検索し、その検索されたバナーデータの所在アドレス（バナーデータ蓄積部33a内のフォルダ名やファイル名等）を取得し、バナー管理サーバ32に通知する機能を備えている。バナー管理サーバ32は、この通知されたバナーデータの所在アドレスと、当該Webサーバとを関連づけるべく、リンク用データを更新する。
【００２５】
インデキシングデータベース355は、Webページそれぞれの属性（対象とするユーザーの年齢、性別、趣味、配信する情報の種別等）を示すメタデータと、Webページの所在アドレスとを関連づけるインデキシングデータを蓄積するデータベースサーバである。インデキシングサーバ352は、属性によって区分されたキーワードと、各Webページに含まれる文字データとの一致度に応じて、Webページの属性を解析し、その解析結果をメタデータとして生成する属性解析部であり、解析結果（Webページに含まれるキーワードやそれにより定められる属性）をインデキシングデータに格納する。具体的には、クローラーサーバ351により収集されたクローリングデータから、クローリングデータ内に含まれるWebページの所在アドレスと、当該Webページの内容を示すテキストデータを抽出し、これらを関連づけるとともに、キーワードの属性に従って分類し、インデキシングデータとして保存する。
【００２６】
前記クローラーサーバ351は、いわゆる巡回ロボットサーバであり、インターネット上のデータを巡回してそのテキストデータや、マルチメディアコンテンツをダウンロードしてクローリングデータサーバ354に蓄積する。このクローラーサーバ351は、既に取得したデータの更新も監視しており、既に取得済みのデータであっても、その内容が所定割合以上変更されているときには、再度ダウンロードする機能を備えている。
【００２７】
（ユーザー端末の構成）
ユーザー端末装置1は、CPUを備えた通信可能な演算処理装置であり、パーソナルコンピュータ等の汎用コンピュータや、機能を特化させた専用装置により実現することができ、モバイルコンピュータやPDA（Personal Digital Assistance）、携帯電話機なども含まれる。図2に、ユーザー端末装置1の内部構成を示す。
【００２８】
同図に示すように、ユーザー端末装置1は、ストリーミングの受信・再生に関するモジュールとして、通信インターフェース110と、キャッシュ部106と、コンテンツ再生部102と、出力データ生成部104と、出力インターフェース105と、表示部101とを備えている。
【００２９】
通信インターフェース110は、インターネット2を通じて、データをパケットとして送受信するモジュールであり、この通信インターフェース110を介して、WebページデータD2やバナーデータD61，D62、リンク用データD4が受信され、検索要求D1や、各データの要求D3，D5、出力形態通知D7等が、各サーバに対して送信される。
【００３０】
キャッシュ部106は、インターネット2から受信され、コンテンツ再生部102で表示・再生されるWebページやマルチメディアコンテンツ（バナーデータD61及びD62）を一時的に記憶保持するバッファ装置である。
【００３１】
アプリケーション実行部103は、一般のOSやブラウザソフト101aなどのアプリケーションを実行するモジュールであり、通常はCPU等により実現される。また、アプリケーション実行部103は、マウス109a等の操作デバイスによって入力される操作信号に従って表示部101上を移動するマウスポインタ101bを表示するポインタ制御部としての機能も果たしている。この操作信号は、操作デバイスインターフェース109を介して取得される。
【００３２】
コンテンツ再生部102は、動画データや音声データ等のマルチメディアを再生し、表示部101上のブラウザソフト101aや、スピーカー105a等から出力させるモジュールであり、本実施形態では、アプリケーション実行部103において実行されるブラウザソフトに組み込まれるプラグインなどで実現される。
【００３３】
また、コンテンツ再生部102は、本実施形態では、ブラウザソフト101aに表示されWebページデータD2内の所定領域101c〜101eのそれぞれにバナーデータD61，62を挿入して表示するバナー挿入部102aを有している。バナー挿入部102aは、図3（a）及び（b）に示すように、WebページデータD2の所定領域を定義するタグを解析し、所定の領域101c〜101eに、バナーデータD61，62を挿入する。詳述すると、アプリケーション実行部103は、Webページ上のマウスポインタの位置を監視し、マウスが所定領域101c〜101e上に重ね合わされるように位置すると、それをイベント発生として検出し、その所定領域に埋め込まれているバナーの出力形態を変化させる。本実施形態では、例えばバナーが動画であるとき、イベント発生前は、図3（a）に示すように、縮小サイズの静止画D61を表示しておき、イベントが発生した際、同図（b）に示すように、バナーのサイズを拡大して動画D62と切り替えて再生するとともに、音声の出力（音量の増大）を行う。
【００３４】
このバナー挿入部102aで検出された出力形態変化は、出力形態取得部108により取得され、出力形態通知D7として課金集計サーバ34に送信される。具体的にこの出力形態通知D7には、表示されているWebページのURL、マウスオーバーが発生した領域を特定するエリアID、ユーザーを特定するためのユーザーID（或いはユーザー端末装置1の端末ID）、バナーデータを特定するバナーID、イベントが発生した時刻等が含まれている。課金集計サーバ34は、これらの情報によって、広告主に対する課金処理を行う。
【００３５】
出力データ生成部104は、アプリケーション実行部103で読み出されたマルチメディアコンテンツデータを映像信号及び音声信号に変換し、表示部101やスピーカー105aで出力可能な信号を生成するモジュールである。出力インターフェース105は、映像及び音声の出力信号を、表示部101及びスピーカー105aからそれぞれ出力させるモジュールである。表示部101は、例えば、液晶ディスプレイ等の表示装置であり、動画表示ウィンドウやテキスト入力ウィンドウなどの複数の画面を合成して表示する。
【００３６】
さらに、ユーザー端末装置1は、データ要求に関するモジュールとして、データ要求部107を備えている。データ要求部107は、アプリケーション実行部103において実行されるブラウザソフトに従って各データ要求を送信するモジュールであり、具体的には、Webページ（HTML）を表示するための表示要求をWebサーバ31に送信し、バナーを表示するためのリンク用データ要求やバナー要求をバナー管理サーバ32やバナー配信サーバ33に送信する。
【００３７】
また、ユーザー端末装置1は、ユーザーインターフェースに関するモジュールとして、操作デバイスインターフェース109を備えている。操作デバイスインターフェース109は、マウスやキーボード等の操作デバイスが接続され、その操作信号が入出力されるモジュールである。アプリケーション実行部103と、マウス109aとによって、ユーザーは、マウスポインタ101bを操作したり、Webページを表示させるためのキーワードを入力したりすることができる。
【００３８】
（バナー配信方法）
以上の構成を有するバナー配信システムを動作させることによって、本発明の方法を実施することができる。図4は、本実施形態に係るバナー配信システムにおけるバナー表示に関する動作を示すフローチャート図である。
【００３９】
本実施形態では、予め、インデキシングサーバ352により、定期的に、インターネット2上のWebページの巡回、解析が行われており、各Webページの属性がメタデータとしてインデキシングデータベース355に蓄積されているとともに、このインデキシングデータ中のメタデータに従って、各Webページの属性に応じたバナーデータが検索され、Webページの所定領域101c〜101eとバナーデータとの関連づけがなされ、リンク用データがリンク用データ蓄積部32aに蓄積されている。
【００４０】
そして、ユーザー端末装置1側においてブラウザソフト101aが起動され、任意のWebページへのアクセスが開始されると、そのWebページの表示要求がWebサーバ31に送信される（S101）。この表示要求に応じてWebサーバ31は、ユーザー端末装置1側に向けてWebページデータD2を配信する（S102，S103）。ブラウザソフト101aは、WebページデータD2を取得するとともに、WebページデータD2内のタグを解析し、タグに記述されたリンク用データの要求をバナー管理サーバ32に対して行う（S105）。
【００４１】
バナー管理サーバ32では、リンク用データ要求D3を受信し（S106）、このリンク用データ要求D3に含まれているエリアIDに基づいてリンク用データの検索を行う（S107）。この検索の結果、該当するデータがないか、あっても更新してから時間が経ってしまっているものについては、検索エンジンサーバ353に対して再検索の要求を送信する（S109）。一方、リンク用データがあり、且つデータが最新であるときには、検出されたリンク用データをユーザー端末装置1側に送信する（S115）。
【００４２】
ステップS109により、検索要求を受信した検索エンジンサーバ353は、検索要求に含まれるWebページのURLに基づいて、インデキシングデータを検索し、当該URLの属性を取得する（S109〜S112）。なお、インデキシングデータ内に該当するURLがない場合には、クローラーサーバによる巡回を直ちに行い、目的のWebページのテキストデータを取得・解析し、メタデータの生成を行う。
【００４３】
次いで、Webページの属性に応じたバナーデータをバナーデータ蓄積部33aから検索して選択し、リンク用データの更新を行い（S113，S114）、更新されたリンク用データをユーザー端末装置1側に送信する（S115）。ブラウザソフト101aでは、リンク用データD4を受信し（S116）、リンク用データD4に基づいて、該当するバナー配信サーバ33にバナーデータを要求する（S117）。バナー配信サーバ33では、要求に係るバナーデータを送信する（S118，S119）。ブラウザソフト101aでは、この送信されたバナーデータを受信し、当該Webページに挿入して表示部101に表示する（S121）。この表示部101における表示は、図3（a）に示すように、ブラウザソフト101a内の所定領域101c〜101eに、縮小サイズの静止画（或いは、短時間の繰り返し映像）がバナーデータとして埋め込まれている。
【００４４】
続いて、表示部101上におけるユーザー操作に従って、バナーデータの表示形態の変更及びそれに伴う課金処理について説明する。図5は、本実施形態におけるバナーデータの表示変更及び課金処理を示すフローチャート図である。
【００４５】
先ず、図3（b）に示すように、ユーザー操作により、マウスポインタ101bが所定の領域（ここでは、101d）上に重ね合わせられると、クリック等の操作をしない場合でも、マウスオーバーのイベントが発生する（S201）。このイベントの発生により、所定領域101dの領域面積が拡大されるとともに、動画の長時間再生及び音声出力が開始される（S202）。
【００４６】
このイベントの発生を出力形態取得部108で検知し、そのイベントが発生したエリアに関する出力形態通知D7が課金集計サーバ34に通知される（S203）。課金集計サーバ34では、出力形態変化通知の受信に応じて（S204）、当該通知に含まれるユーザーやバナー、Webサイト等を特定し、各バナーデータへの注目履歴を蓄積する（S205）し、蓄積されたデータに基づいてバナーデータの注目頻度を計測し、課金部により、注目頻度に応じた課金処理を行う（S206）。
【００４７】
（作用・効果）
このような本実施形態に係るバナー配信システム及び方法によれば、ユーザー操作によるマウスポインタ101bが移動するのを監視し、バナーデータの出力形態の変化（イベント発生）を検出することによって、サービス提供者側においてユーザーがいずれのバナーデータを注目したかを把握することができ、適正な課金を行うことができる。
【００４８】
また、上記実施形態では、イベント発生による動画情報の出力形態の変化として、マウスオーバーが発生している間、バナーデータの表示サイズを拡大するとともに、音量を出力させるため、複数のバナーデータがWebページ上に表示されていても、注目したバナーのみについて、拡大され、音声が出力されることとなり、不必要にサイズの大きいバナーデータが並列されることによって表示画面構成が煩雑になったり、複数の音声が同時に出力されて騒然となったりするのを防止することができる。
【図面の簡単な説明】
【００４９】
【図１】実施形態に係るバナー配信システムの概略構成を示すブロック図である。
【図２】実施形態に係るユーザー端末装置1の内部構成を示すブロック図である。
【図３】本実施形態におけるバナーデータ表示を示す説明図である。
【図４】本実施形態に係るバナー配信システムにおけるバナー表示に関する動作を示すフローチャート図である。
【図５】本実施形態におけるバナーデータの表示変更及び課金処理を示すフローチャート図である。
【符号の説明】
【００５０】
D1…検索要求
D2…Webページデータ
D3…リンク用データ要求
D4…リンク用データ
D5…バナー要求
D61，62…バナーデータ
D7…出力形態通知
1…ユーザー端末装置
2…インターネット
31…Webサーバ
32…バナー管理サーバ
32a…リンク用データ蓄積部
33…バナー配信サーバ
33a…バナーデータ蓄積部
34…課金集計サーバ
35…検索システムサーバ群
101…表示部
101a…ブラウザソフト
101b…マウスポインタ
101c〜101e…所定領域
102…コンテンツ再生部
102a…バナー挿入部
103…アプリケーション実行部
104…出力データ生成部
105…出力インターフェース
105a…スピーカー
106…キャッシュ部
107…データ要求部
108…出力形態取得部
109…操作デバイスインターフェース
109a…マウス
110…通信インターフェース
351…クローラーサーバ
352…インデキシングサーバ
353…検索エンジンサーバ
354…クローリングデータサーバ
355…インデキシングデータベース
【図１】
2007164710.tif 000003
【図２】
2007164710.tif 000004
【図３】
2007164710.tif 000005
【図４】
2007164710.tif 000006
【図５】
2007164710.tif 000007